(57)【要約】      （修正有）【課題】簡易な方法で製造することができる花留めやフレキシブルワイヤを提供する。【解決手段】花留めは、複数の筒状部材３と、複数の筒状部材３の内部に通されたワイヤ２と、を有する。また、フレキシブルワイヤは、複数の筒状部材３と、複数の筒状部材３の内部に通されたワイヤ２と、を有する。【選択図】図１
0003214082.tif 000002
【実用新案登録請求の範囲】
【請求項１】
複数の筒状部材と、
前記複数の筒状部材の内部に通されたワイヤと、
を有する花留め。
【請求項２】
前記ワイヤはアルミニウム製、ステンレス製、又はバインド材である、請求項１に記載の花留め。
【請求項３】
前記筒状部材はポリプロピレン製、ポリ塩化ビニル製、発泡ポリエチレン製、又はアルミパイプ製である、請求項１又は２に記載の花留め。
【請求項４】
複数の筒状部材と、
前記複数の筒状部材の内部に通されたワイヤと、
を有するフレキシブルワイヤ。
【請求項５】
自在に変形する様に曲げて形成する構造物であって、少なくとも一本のワイヤを複数の筒状部材に連続的に挿通し形成したことを特徴とするフレキシブルワイヤ。
【請求項６】
前記ワイヤの両端は抜け防止加工を施してあることを特徴とする請求項５記載のフレキシブルワイヤ。
【考案の詳細な説明】
【技術分野】
【０００１】
本考案は、それ自体が装飾機能を有する花留め及びフレキシブルワイヤに関する。
【背景技術】
【０００２】
従来、生花等を花器に活ける際に生花等を支えつつ、それ自体が装飾性を有する花留めが知られている（例えば、特許文献１）。
【先行技術文献】
【特許文献】
【０００３】
【特許文献１】特開２００３−１３５２３２号公報
【考案の概要】
【考案が解決しようとする課題】
【０００４】
しかしながら、上記特許文献１に記載の花留めは、ワイヤの一部を放電によって削ることによって切欠き面を形成するものであり、必ずしも容易に製造できるものではない。
【０００５】
本考案は、簡易な方法で製造することができる花留めやフレキシブルワイヤを提供することを目的とする。
【課題を解決するための手段】
【０００６】
本考案に係る花留めは、複数の筒状部材と、前記複数の筒状部材の内部に通されたワイヤと、を有する。
また、本考案に係るフレキシブルワイヤは、複数の筒状部材と、前記複数の筒状部材の内部に通されたワイヤと、を有する。
また、本考案に係るフレキシブルワイヤは、自在に変形する様に曲げて形成する構造物であって、少なくとも一本のワイヤを複数の筒状部材に連続的に挿通し形成したことを特徴とする。
【考案の効果】
【０００７】
本考案によれば、簡易な方法で製造することができる花留めやフレキシブルワイヤを提供することができる。
【図面の簡単な説明】
【０００８】
【図１】実施形態の花留め（フレキシブルワイヤ）の外略構成図である。
【図２】図１のＩＩ−ＩＩ断面図である。
【図３】実施形態の花留めを適用した概略図である。
【考案を実施するための形態】
【０００９】
＜第１の実施形態＞
以下、図面を参照して、第１の実施形態に係る花留めについて説明する。図１は、本実施形態の花留めの概略構成図である。図１に示されるように、本実施形態の花留め１は、ワイヤ２と、複数の筒状部材３と、を有する。ワイヤ２は、複数の筒状部材３の内部に通されている。
【００１０】
ワイヤ２の長さは、例えば、３ｍ〜５ｍであることが好ましい。１０ｃｍ程度のグラスなどに生花を活ける場合は、３ｍ程度の長さのワイヤ２を用いることが好ましい。一方、２０ｃｍ以上の花器に生花を活ける場合は、５ｍ程度の長さのワイヤ２を用いることが好ましい。ワイヤ２の長さは、花器の大きさなどに応じて適宜選択することができる。
また、ワイヤ２の径は、例えば、０．９ｍｍ〜１．６程度であることが好ましい。
【００１１】
ワイヤ２の材質は、例えば、アルミニウム、ステンレス、バインド材（ビニール被服針金）であることが好ましい。
アルミニウム製のワイヤ２は、軽量で強く、錆びにくく、柔らかくて曲げやすく、加工しやすい。
ステンレス製のワイヤ２は、錆びにくく強い。
バインド材のワイヤ２は、柔らかくて曲がりやすく、加工し易く、錆びにくい。
【００１２】
筒状部材３の長さは、例えば、２．５ｃｍ〜５ｃｍであることが好ましい。
また、図１のＩＩ−ＩＩ断面図である図２に示されるように、筒状部材３の内径は、ワイヤ２の径よりも大きい。筒状部材３の内径は、例えば、３．８ｍｍ〜６ｍｍであることが好ましい。
【００１３】
筒状部材３の材質は、例えば、ポリプロピレン、ポリ塩化ビニル、発泡ポリエチレン、アルミパイプであることが好ましい。
ポリプロピレン製の筒状部材３は、軽く、耐水性があり、腐食しにくい。また、加工性に優れ、発色性も高い。また、引張強度、衝撃強度、圧縮強度にも優れる。
ポリ塩化ビニル製の筒状部材３は、軽く、強度、電気絶縁性、難燃性、耐候性、耐薬品性などに優れる。特に、大きな花器に適用する場合、塗装もしやすく軽量なポリ塩化ビニル製の筒状部材３とすることが好ましい。
アルミパイプ製の筒状部材３は、軽量で耐久性、耐腐食性に優れる。また、着色し易く、加工性に優れ、リサイクルし易い。なお、アルミパイプ製の筒状部材３の断面形状は必ずしも円形に限定されるものではなく、例えば、四角形でもよい。
【００１４】
花留め１は、例えば、数十個から数百個の筒状部材３を有する。複数の筒状部材３の長さは同じであることが好ましいが、長さの異なる筒状部材３が含まれていてもよい。また、複数の筒状部材３の内径は同じであることが好ましいが、内径の異なる筒状部材３が含まれていてもよい。また、複数の筒状部材３の材質は同じであることが好ましいが、材質の異なる筒状部材３が含まれていてもよい。
【００１５】
図１に示されるように、ワイヤ２はその両端にワイヤ端部２Ａを有する。ワイヤ端部２Ａは、例えば、ワイヤ２の端部を巻き上げることによって形成される。ワイヤ端部２Ａの大きさは、筒状部材３の内径よりも大きい。これにより、複数の筒状部材３の内部にワイヤ２を通した状態で、複数の筒状部材３のうち両端に位置する筒状部材３がワイヤ端部２Ａによって固定され、筒状部材３が抜け落ちるのを抑制することができる。
【００１６】
なお、本実施形態のワイヤ端部２Ａはワイヤ２の端部を巻き上げる構成としたが、これに限定されるものではない。例えば、ワイヤ２とは別部材のキャップをワイヤ２の端部に取り付けることによって、ワイヤ端部２Ａを構成してもよい。また、ワイヤ端部２Ａは、グルーガンを用いて樹脂で固定してもよい。また、ワイヤ端部２Ａを折り返して、複数の筒状部材３のうち端に位置する筒状部材３の外表面に樹脂などで固定してもよい。
【００１７】
次に、本実施形態に係る花留め１の製造方法を説明する。まず、ワイヤ２と複数の筒状部材３を準備する。この際、ワイヤ２の少なくとも一方の端部には、ワイヤ端部２Ａは形成されていない。続いて、複数の筒状部材３の内部にワイヤ２を通す。最後に、ワイヤ２の端部を巻き上げ、ワイヤ端部２Ａを形成する。
このように、本実施形態に係る花留め１は、従来の花留めに比べて簡易な方法で製造することができる。
【００１８】
本実施形態に係る花留め１は、細く曲げやすいアルミニウム製のワイヤ２を用い、複数の筒状部材３によって関節を作ったことにより、花留め１の形状を自在に変形することができ、また、変形した形状を維持することができる。これにより、花器の内部により密な空間を容易に作ることができ、細い枝や花を容易に留めることができる。
このようにして、例えば、生花等を花器に活ける際の自由度が高まり、創作性を向上させることができる。
【００１９】
次に、図３を参照して、本実施形態に係る花留め１の適用例を説明する。図３は、花器４に支持されている生花５に対して、本実施形態に係る花留め１を適用した概略図である。本実施形態に係る花留め１は、生花５を固定する機能を有するのみならず、花留め１それ自体が装飾機能を有する。このように、花留め１それ自体が装飾機能を有することにより、生花等を主とし、花留めを従とする従来の概念に縛られることなく、より自由な発想で生花等を花器に活けることが可能となり、創作性を更に向上させることができる。
なお、図３では花留め１それ自体の装飾機能が目立つ適用例について説明したが、花器の外部から見えにくいように花器の内部に適用し、生花の茎や枝などを自由度の高い形状で固定するように適用することもできる。
【００２０】
＜他の実施形態＞
以上、本考案の花留めについて詳細に説明したが、本考案は第１の実施形態に限定されるものではない。例えば、図１を参照して説明した花留めを、花留め以外の用途で用いられるフレキシブルワイヤとして用いてもよい。
【００２１】
図１に示される本考案のフレキシブルワイヤ１は、例えば、携帯電話、スマートフォン、タブレット端末、携帯用ゲーム機、文房具などを固定するホルダとして用いることができる。本考案のフレキシブルワイヤ１は、形状を自由自在に変更することができるため、様々な大きさのスマートフォンなどに容易に適用することができる。
【００２２】
また、図１に示される本考案のフレキシブルワイヤ１は、例えば、乳幼児が遊ぶ玩具として用いることができる。本考案のフレキシブルワイヤ１は、乳幼児でも簡単にその形状を変更させることができるため、乳幼児の創作力や想像力を向上させることができる。
【００２３】
また、図１に示される本考案のフレキシブルワイヤ１は、例えば、高齢者が変形させることにより、手先を鍛えることができる。
【００２４】
また、図１に示される本考案のフレキシブルワイヤ１は、装飾品として任意の形状に変形させて、手首や首などに巻いたり、部屋に置いたり飾ったりすることができる。
【００２５】
また、図１に示される本考案のフレキシブルワイヤ１を変形させ、衣類を掛けるためのハンガーとして用いることもできる。
【００２６】
なお、フレキシブルワイヤ１の長さは特に限定されるものではなく、フレキシブルワイヤ１の用途に応じて適切な長さにすることができる。また、ワイヤ２や筒状部材３の色も特に限定されず、任意の色を用いることができる。
【００２７】
フレキシブルワイヤ１は、自在に変形する様に曲げて形成する構造物であって、少なくとも一本のワイヤ２を複数の筒状部材３に連続的に挿通し形成される。更に、ワイヤ２の両端２Ａは抜け防止加工を施してあることが好ましい。
【符号の説明】
【００２８】
１  花留め（フレキシブルワイヤ）
２  ワイヤ
２Ａ  ワイヤ端部
３  筒状部材
４  花器
５  生花
【図１】
0003214082.tif 000003
【図２】
0003214082.tif 000004
【図３】
0003214082.tif 000005